(57)【要約】【課題】簡易な装置を簡単に設置して害虫を効果的に殺虫する害虫の殺虫施設及びその殺虫施設を用いた育苗方法を提供する【解決手段】輪郭面を構成し、フィルム材により形成されたハウス１０と、ハウス１０の裾が全周域にわたって挿入され、液体が流し込まれる溝３０と、周縁４０ａ又はその内側の一定範囲の領域が全周にわたって溝３０に挿入されて、ハウス１０が設けられる領域に敷かれる底面シート４０と、ハウス１０の相対的に下側に設けられ、二酸化炭素をハウス１０に注入するための注入口２０と、ハウス１０の相対的に上側に設けられ、ハウス１０の空気を外部に排出すための排出口２１と、注入口２０に接続して、ハウス１０に二酸化炭素を供給する二酸化炭素供給装置５０と、を備えた殺虫施設及びこの施設を利用した育苗方法により課題を解決する。【選択図】図１
2015084706.tif 000002
【特許請求の範囲】
【請求項１】
輪郭面を構成し、フィルム材により形成されたハウスと、
前記ハウスの裾が全周域にわたって挿入され、液体が流し込まれる溝と、
周縁又は周縁の内側の一定範囲の領域が全周にわたって前記溝に挿入されようにして前記ハウスが設けられる領域に敷かれる底面シートと、
前記ハウスの相対的に下側に設けられ、二酸化炭素を前記ハウスの内部に注入するための注入口と
前記ハウスの相対的に上側に設けられ、前記ハウスの内部の空気を外部に排出すための排出口と、
前記注入口に接続して、前記ハウスの内部に二酸化炭素を注入する二酸化炭素注入装置と、を備えていることを特徴とする害虫の殺虫施設。
【請求項２】
前記注入部は前記ハウスの外側から内側にのみ二酸化炭素を通すことを許容する逆止弁により構成され、
前記排出口は前記ハウスの内側から外側にのみ空気を通すことを許容する逆止弁により構成されている、請求項１に記載の害虫の殺虫施設。
【請求項３】
輪郭面を構成し、フィルム材により形成されたハウスと、前記ハウスの裾が全周域にわたって挿入され、液体が流し込まれる溝と、周縁又は周縁の内側の一定範囲の領域が全周にわたって前記溝に挿入されようにして前記ハウスが設けられる領域に敷かれる底面シートと、からなる殺虫施設に植物の苗を収容し、
前記ハウスの相対的に下側に設けられた注入口から二酸化炭素を前記ハウスの内部に注入すると共に、前記ハウスの相対的に上側に設けられた排出口から前記ハウスの内部の空気を外部に排出して前記ハウスの内部に二酸化炭素を充満させ、
前記ハウスの内部に二酸化炭素を充満させた状態で前記植物の苗を殺虫する殺虫工程を備えていることを特徴とする育苗方法。
【請求項４】
前記植物の苗を、該植物の苗の種類に応じて温度管理された育苗庫に収容して育苗を行う育苗工程と、
前記育苗工程の後に、前記植物の苗を生育値に植え替える定植工程と、を有し、
前記育苗工程が終了した後に前記定植工程を行う前に、前記殺虫工程を１２時間以上２４時間以下の時間をかけて行う、請求項３に記載の育苗方法。
【発明の詳細な説明】
【技術分野】
【０００１】
本発明は、害虫の殺虫施設及びその殺虫施設を用いた育苗方法に関し、さらに詳しくは、二酸化炭素を用いて植物に付いた害虫を殺虫する害虫の殺虫施設及びその殺虫施設を用いて害虫を殺虫する工程を有する育苗方法に関する。
【背景技術】
【０００２】
植物の苗は、所定の温度に管理された育苗施設に１日のうち一定の時間収容することによって、自然界とは異なる環境の下で育苗する方法が適用されることがある。そうした環境の下で育苗された苗は、苗に付いた害虫を苗から除去するために殺虫することが行われている。二酸化炭素を用いて害虫を殺虫する手法は、一般に知られた殺虫技術である。とりわけ、高圧の二酸化炭素を用いた殺虫技術が広く知られている。
【０００３】
特許文献１に提案されている技術は、こうした高圧の二酸化炭素を用いた殺虫技術の１つであり、次の工程により害虫を殺虫している。すなわち、まず、耐圧チャンバーに殺虫処理の対象物を入れる。次いで、チャンバー内の圧力を−０．１０１３ＭＰａ〜−０．０５ＭＰａまで減圧する減圧処理工程を実施する。次いで、二酸化炭素を０．６ＭＰａ以上１．５ＭＰａ以下の圧力になるようにして封入し、その加圧された状態で１５〜９０分間保持する加圧保持工程を実施する。その後、二酸化炭素を放出して常圧に戻す復圧処理工程を実施する。この殺虫技術は、こうした減圧処理工程、加圧保持工程及び復圧処理工程を１回以上繰り返すことにより殺虫している。
【先行技術文献】
【特許文献】
【０００４】
【特許文献１】特開２００８−２６６３０２号公報
【発明の概要】
【発明が解決しようとする課題】
【０００５】
しかしながら、特許文献１に提案されている殺虫技術は、二酸化炭素を０．６ＭＰａ以上１．５ＭＰａ以下の圧力になるようにして封入している。そのため、圧力を調整することができる設備が必要である。また、二酸化炭素を０．６ＭＰａ以上１．５ＭＰａ以下の圧力になるようにして封入する必要があるので、耐圧性があるチャンバーを用いなければ、実施することができない。こうした殺虫技術を実施する設備は複雑且つ高価であるため、育苗の現場で簡単に実施することが困難である。
【０００６】
本発明は、上記課題を解決するためになされたものであり、その目的は、簡易な装置を簡単に設置して害虫を効果的に殺虫することができる害虫の殺虫施設及びその殺虫施設を用いた育苗方法を提供することにある。
【課題を解決するための手段】
【０００７】
上記課題を解決するための本発明に係る害虫の殺虫装置は、輪郭面を構成し、フィルム材により形成されたハウスと、前記ハウスの裾が全周域にわたって挿入され、液体が流し込まれる溝と、周縁又は周縁の内側の一定範囲の領域が全周にわたって前記溝に挿入されようにして前記ハウスが設けられる領域に敷かれる底面シートと、前記ハウスの相対的に下側に設けられ、二酸化炭素を前記ハウスの内部に注入するための注入口と前記ハウスの相対的に上側に設けられ、前記ハウスの内部の空気を外部に排出すための排出口と、前記注入口に接続して、前記ハウスの内部に二酸化炭素を注入する二酸化炭素注入装置と、を備えていることを特徴とする。
【０００８】
この発明によれば、害虫の殺虫施設が上記したハウス、溝、底面シートによって構成されているので、殺虫施設を簡素な構造にすることができる。殺虫施設が簡素な構造なので、殺虫施設を育苗の現場で簡単に設置することができる。また、殺虫施設は、注入口がハウスの相対的に下側に設けられ、排出口がハウスの相対的に上側に設けられているので、比重の大きな二酸化炭素をハウスの下側から上側に向けて徐々に充満させることによって、ハウスの内部に存在する空気を効率よくハウスの外に排出することができる。また、殺虫施設は、上記したハウス、溝及び底面シートを備え、溝にハウスを構成する周面の裾と底面シートの周縁とを挿入し、みぞに液体を流し込む構造になっているので、ハウスの内部を密閉することができる。そのため、ハウスの内部に注入した二酸化炭素を殺虫に必要な所望の濃度に維持することができる。
【０００９】
本発明に係る害虫の殺虫施設において、前記注入部は前記ハウスの外側から内側にのみ二酸化炭素を通すことを許容する逆止弁により構成され、前記排出口は前記ハウスの内側から外側にのみ空気を通すことを許容する逆止弁により構成されていることを特徴とする。
【００１０】
この発明によれば、注入口が逆止弁により構成されているので、ハウスに注入した二酸化炭素が注入口から漏れ出すことを防止することができる。また、排出口が逆止弁により構成されているので、ハウスから排出された空気がハウス内に逆流したり、外界の空気がハウス内に浸入したりすることを防止することができる。
【００１１】
上記課題を解決するための本発明に係る育苗方法は、輪郭面を構成し、フィルム材により形成されたハウスと、前記ハウスの裾が全周域にわたって挿入され、液体が流し込まれる溝と、周縁又は周縁の内側の一定範囲の領域が全周にわたって前記溝に挿入されようにして前記ハウスが設けられる領域に敷かれる底面シートとからなる殺虫施設に植物の苗を収容し、前記ハウスの相対的に下側に設けられた注入口から二酸化炭素を前記ハウスの内部に注入すると共に、前記ハウスの相対的に上側に設けられた排出口から前記ハウスの内部の空気を外部に排出して前記ハウスの内部に二酸化炭素を充満させ、前記ハウスの内部に二酸化炭素を充満させた状態で前記植物の苗を殺虫する殺虫工程を備えていることを特徴とする。
【００１２】
この発明によれば、上記の殺虫施設を用いて殺虫工程を行うので、育苗の現場で簡単に殺虫施設を設置して殺虫を行うことができる。また、殺虫工程で用いる殺虫施設は、ハウスの相対的に下側に設けられた注入口から二酸化炭素をハウスの内部に注入すると共に、ハウスの相対的に上側に設けられた排出口からハウスの内部の空気を外部に排出するので、ハウスの内部に二酸化炭素を効率よく充満させることができる。その結果、大量の植物の苗に対して殺虫を短時間で効果的に行うことができる。
【００１３】
本発明に係る育苗方法において、前記植物の苗を、該植物の苗の種類に応じて温度管理された育苗庫に収容して育苗を行う育苗工程と、前記育苗工程の後に、前記植物の苗を生育値に植え替える定植工程と、を有し、前記育苗工程が終了した後に前記定植工程を行う前に、前記殺虫工程を１２時間以上２４時間以下の時間をかけて行うことを特徴とする。
【００１４】
この発明によれば、育苗工程と定植工程との間に、殺虫工程を１２時間以上２４時間以下の時間をかけて行うので、一度の殺虫工程で効率よく確実に殺虫を行うことができる。
【発明の効果】
【００１５】
本発明によれば、育苗の現場に簡易な装置を簡単に設置するだけで害虫を効果的に殺虫することができる。
【図面の簡単な説明】
【００１６】
【図１】本発明の第１実施形態に係る殺虫施設の概要を示す斜視図である。
【図２】ハウスを構成する周面の裾及び底面シートの周縁が溝に挿入された状態を示す説明図である。
【図３】本発明の第２実施形態に係る殺虫施設の概要を示す斜視図である。
【図４】苺の苗を育苗する育苗施設の概要を示す斜視図である。
【図５】殺虫工程を育苗施設で実施する場合に、育苗施設に殺虫施設を設置する場所の一例を示す説明図である。
【図６】苺の苗を殺虫施設のハウスの内部に収容した状態を示す斜視図である。
【発明を実施するための形態】
【００１７】
以下、本発明の実施形態について図面を参照しながら説明する。なお、本発明の技術的範囲は、以下の記載や図面にのみ限定されるものではない。
【００１８】
［殺虫施設の基本構成］
本発明に係る害虫の殺虫施設１は、図１及び図２に示すように、輪郭面を構成し、フィルム材により形成されたハウス１０と、このハウス１０の裾が全周域にわたって挿入され、液体が流し込まれる溝３０と、周縁４０ａ又は周縁４０ａの内側の一定範囲の領域が全周にわたって溝３０に挿入されようにしてハウス１０が設けられる領域に敷かれる底面シート４０と、を備えている。ハウス１０は、二酸化炭素をハウス１０の内部に注入するための注入口２０を当該ハウス１０の相対的に下側に有すると共に、ハウス１０の内部の空気を外部に排出すための排出口２１を当該ハウス１０の相対的に上側に有している。また、殺虫施設１は、注入口２０に接続して、ハウス１０の内部に二酸化炭素を注入する二酸化炭素供給装置５０を備えている。なお、本明細書において、輪郭面とは、ハウスが形成する輪郭の面、すなわち、ハウスの内部形成される内部空間とハウスよりも外側の外界とを仕切っている面を意味する。
【００１９】
本発明の殺虫施設１は、簡易な施設を簡単に設置するだけで植物についた害虫を効果的に殺虫することができるという特有の効果を奏する。
【００２０】
こうした殺虫施設１，６０は、ハウス１０を骨組１５みに被せて設置する第１実施形態と、ハウス７０を梁７７に沿ってスライドさせ、カーテンのように折りたたんだり引き延ばしたりして設置する第２実施形態とに大別することができる。以下、実施形態ごとに殺虫施設１，６０の具体的な構成を説明する。
【００２１】
［第１実施形態］
〈ハウス〉
ハウス１０は、図１に示すように、天面１１及び側面１２からなり、害虫施設１の輪郭面を構成している。このハウス１０は、支柱１６及び梁１７により構成された骨組み１５に被せることによって設置される。支柱１６は殺虫施設１の４隅に設けられており、梁１７は各支柱１６の上端同士を連絡している。ハウス１０は、骨組み１５に被せることによって、ハウス１０の内部に形成されている内部空間とハウス１０よりも外側の外界とを遮蔽している。なお、本明細書において遮蔽するとは、ハウス１０の内部に注入した二酸化炭素をハウス１０の外に漏らさないことを意味する。こうしたハウス１０を構成しているフィルム材は、透明でも半透明でもよい。また、光を全く透過させないものでもよい。フィルム材としては、例えば、アルミニウム蒸着されたフィルム材が用いられる。ただし、ハウス１０の材質は、アルミニウム蒸着されたフィルム材には限定されず、他の材質からなるフィルム材、例えば、空気バリア性に優れたフィルム材を用いることもできる。空気バリア性に優れたフィルム材としては、アルミニウム蒸着フィルム材の他、例えば、ビニルアルコール−オレフィン共重合体やポリアミド等を使用したフィルム材を挙げることができる。
【００２２】
こうしたハウス１０は、当該ハウス１０を吊り下げることができるように被吊り下げ部１３，１８を備えている。また、二酸化炭素をハウス１０の内部に注入するための注入口２０と、ハウス１０の内部の空気を外部に排出すための排出口２１とを備えている。
【００２３】
（被吊り下げ部）
被吊り下げ部１３，１８は、ハウス１０を吊り下げて、支柱１６及び梁１７からなる骨組み１５に被せるときに利用される。図１に示したハウス１０は、被吊り下げ部１３と被吊り下げ部１８とが天面１１の周縁に設けられている。天面１１の対向する一対の側縁部に設けられている被吊り下げ部１３は、天面１１の側縁からハウス１０の外側に張り出した細長いフィルム材に複数の穴１４が形成されることによって構成されている。穴１４はフック等が掛けられる部位である。被吊り下げ部１８は、天面１１の対向するもう一対の側縁部の中央に設けられており、天面１１の側縁部からハウス１０の外側に張り出すフィルム材に１つの穴１９が形成されることによって構成されている。この穴１９もフック等が掛けられる部位である。
【００２４】
（注入口及び排出口）
注入口２０は、ハウス１０を構成している側面１２の相対的に下側の領域に設けられている。この注入口２０は、ハウス１０の内部に二酸化炭素を注入させる部位であり、二酸化炭素供給装置５０から延びるホース５３の先端が接続される。注入口２０は、逆止弁により構成されており、ハウス１０の外側から内側の方向にのみ二酸化炭素を通すことを許容している。こうした注入口２０がハウス１０の相対的に下側の領域に設けられているので、ハウス１０の内部に二酸化炭素を注入したとき、二酸化炭素は、まず、ハウス１０の下側の領域に滞留し、徐々にハウス１０上側の領域まで溜められる。
【００２５】
排出口２１は、ハウス１０を構成している側面１２の相対的に上側の領域に設けられている。この排出口２１は、ハウス１０内の空気を外に排気する部位である。排出口２１は、逆止弁により構成されており、ハウス１０の内側から外側の方向にのみ空気を通すことを許容している。ハウス１０の内部に二酸化炭素を注入したとき、ハウス１０内の空気は二酸化炭素によってハウス１０の上側に移動される。排出口２１が相対的に上側の領域に設けられているので、ハウス１０の上側に移動した空気は排出口２１から外に排気される。
【００２６】
〈溝〉
溝３０は、ハウス１０の側面１２が配置される位置に一致して設けられており、側面１２の裾１２ａが挿入されている。この溝３０は、図２に示すように、底面板３１と底面板３１の両側で対向するように配置された側面板３２とから構成されている。図２に示した例では、側面板３２は、底面板３１の幅方向の片側に３枚ずつそれぞれ設けられている。この溝３０には、水等の液体Ｗが流し込まれる。溝３０は、液体Ｗが流し込まれ且つ、ハウス１０を構成する側面１２の裾１２ａが溝３０に挿入されることによって、ハウス１０の下部を密閉している。
【００２７】
〈底面シート〉
底面シート４０は、地面等に敷いて用いられるものであり、殺虫施設１の底面を構成している。底面シート４０は、ハウス１０の天面１１よりも面積が大きく形成されており、底面トート４０の周縁４０ａがハウス１０の側面１２よりも外側に張り出す大きさに形成されている。この底面シート４０もアルミニウム蒸着されたフィルム材が用いられる。ただし、底面シート４０の材質は、アルミニウム蒸着されたフィルム材には限定されず、他の材質からなるフィルム材、例えば、空気バリア性に優れたフィルム材を用いることもできる。空気バリア性に優れたフィルム材としては、アルミニウム蒸着フィルム材の他、例えば、ビニルアルコール−オレフィン共重合体やポリアミド等を使用したフィルム材を挙げることができる。この底面シート４０は、図２に示すように、周縁４０ａ又は周縁４０ａの内側の一定範囲の領域を溝３０の内部に挿入させて地面に敷かれる。なお、底面シート４０の周縁４０ａ又は周縁４０ａの内側の領域は、ハウス１０を構成する側面１２の裾１２ａよりも下側に配置されるようにして溝３０の内側に挿入される。
【００２８】
殺虫施設１は、底面シート４０の周縁４０ａ又は周縁４０ａの内側の一定範囲の領域を溝３０の内部に挿入すると共にハウス１０を構成する側面１２の裾１２ａを溝３０の内部に挿入し且つ、溝３０の内部に水等の液体Ｗを流し込んでいるので、ハウス１０の下部に隙間が形成されることを防止することができる。そのため、ハウス１０の内部に形成される空間を密閉状態にすることができる。
【００２９】
なお、二酸化炭素は、その比重が大きいため、ハウス１０の下側にだけ滞留してしまう。二酸化炭素をハウス１０の内部の全体に拡散する必要がある場合、ハウス１０の内部に二酸化炭素を撹拌することができる撹拌装置を設置するとよい。
【００３０】
（二酸化炭素供給装置）
二酸化炭素供給装置５０は、二酸化炭素が充填されたボンベ５１と、ボンベ５１に充填された二酸化炭素を保出させる開閉バルブ５２と、ボンベ５１に接続されたホース５３とを有している。この二酸化炭素供給装置５０は、開閉バルブ５２を開き、所望の流量及び圧力でボンベ５１から二酸化炭素を放出することによってハウス１０の内部に二酸化炭素を注入させている。上記のように、ハウス１０の内部に形成されている空間は、ハウス１０、溝３０及び底面シート４０によって密閉されているので、ハウス１０の内部に注入された二酸化炭素は、漏れ出すことがなく、一定の濃度に維持される。その場合、二酸化炭素の濃度が４０体積％以上、６０体積％以下になるように、二酸化炭素はハウス１０の内部に注入するとよい。
【００３１】
以上、ハウスが直方体に形成された殺虫施設１について説明したが、ハウスの形状は、直方体であることには限定されない。ハウスは、例えば、一定の長さを有するフィルム材からなる周面を半円の輪郭に一致するように配した形状（トンネルの輪郭に類似する形状）のものやドーム型に形成されたものを利用してもよい。
【００３２】
［第２実施形態］
第２実施形態の害虫の殺虫施設６０は、ハウス７０を梁７７に沿ってスライドさせ、カーテンのように折り畳んだり引き延ばしたりして設置する形態である。第２実施形態の殺虫装置６０の基本構成は、第１実施形態の殺虫施設の基本構成と同様に、輪郭面を構成し、フィルム材により形成されているハウス７０と、このハウス７０の裾７０ａが全周域にわたって挿入され、液体が流し込まれる溝９０と、周縁又は周縁の内側の一定範囲の領域が全周にわたって溝９０に挿入されようにしてハウス７０が設けられる領域に敷かれる底面シートと、を備えている。ハウス７０は、二酸化炭素をハウスの内部に注入するための注入口８０を当該ハウス７０の相対的に下側に有すると共に、ハウス７０の内部の空気を外部に排出すための排出口８１を当該ハウス７０の相対的に上側に有している。また、殺虫施設６０は、注入口８０に接続して、ハウス７０の内部に二酸化炭素を注入する二酸化炭素供給装置５０を備えている。
【００３３】
以下、第２実施形態の殺虫施設６０の各構成について、第１実施形態の殺虫施設１とは異なる構成についてのみ詳細に説明し、同じ構成については簡単に説明する。
【００３４】
第２実施形態の殺虫施設６０は、両端に配置された円弧状に形成されたアーチ７６と、アーチ７６同士を連絡する複数の梁７７とにより構成された骨組み７５を有している。梁７７は、内部が空洞で、断面形状が円形のパイプ材により構成されている。ハウス７０は、両端をなす側端面７２と上部及び側部を覆う周面７１とから構成されている。このハウス７０は、側端面７２が半円状に形成され、周面７１が長方形に形成され、半円の輪郭に一致するように配されることによってトンネル輪郭に類似する形状に形成れている。
【００３５】
周面７１は、カーテンのように、梁７７が延びる方向に折り畳んだり引き延ばしたりして梁７７に沿ってスライドさせることができる構造になっている。なお、周面７１と側端面７２とをアーチ７６の位置で繋いで両者を一体にした場合、ハウス７０は、周面７１を梁７７に沿ってスライドさせることによって、側端面７２を周面７１と共に移動する構造にすることができる。こうしたハウス７０を構成しているフィルム材は、第１実施形態の殺虫装置１に用いられているハウス１０のフィルム材と同じである。こうした構造の殺虫施設６０は、殺虫施設６０を使用しないときには、ハウス７０を片側のアーチ７６側に折り畳んで寄せておく。一方、殺虫施設６０を利用するときは、片側のアーチ７６側に折り畳まれたハウス７０を引き延ばして周面７１を形成する。
【００３６】
注入口８０は逆止弁により構成されており、ハウス７０の外側から内側の方向にのみ二酸化炭素を通すことを許容している。一方、排出口８１も逆止弁により構成されており、ハウス７０の内側から外側の方向にのみ空気を通すことを許容している。
【００３７】
底面シートは、図３には示していないが、ハウス７０の底部に敷かれており、底面シートの周縁又は周縁の内側の領域が溝の内側に挿入されている。なお、この底面シートは、第１実施形態の殺虫施設１に用いられている底面シート４０と同じ材質のフィルム材により構成されている。
【００３８】
以上、ハウス７０の形状が一定の長さを有するフィルム材からなる周面７１を半円の輪郭に一致するように配した形状（トンネルの輪郭に類似する形状）の場合を例にして第２実施形態の殺虫施設６０を説明した。しかし、ハウスの形状は、直方体等、その他の形状に形成してもよい。
【００３９】
［育苗方法］
次に、第１実施形態の殺虫施設１を利用した場合を例にして本発明に係る育苗方法について説明する。本発明に係る育苗方法は、フィルム材により形成され、輪郭面を構成しているハウス１０と、このハウス１０の裾が全周域にわたって挿入され、液体が流し込まれる溝３０と、周縁４０ａ又は周縁４０ａの内側の一定範囲の領域が全周にわたって溝３０に挿入されようにしてハウス１０が設けられる領域に敷かれる底面シート４０とからなる殺虫施設１に植物の苗を収容し、ハウス１０の相対的に下側に設けられた注入口２０から二酸化炭素をハウス１０の内部に注入すると共に、ハウス１０の相対的に上側に設けられた排出口２１からハウス１０の内部の空気を外部に排出して前記ハウス１０の内部に二酸化炭素を充満させ、ハウス１０の内部に二酸化炭素を充満させた状態で放置して植物の苗を殺虫する殺虫工程を備えている。
【００４０】
こうした育苗方法は、植物の苗の種類に応じて温度管理された育苗庫１００に植物の苗を収容して育苗を行う育苗方法の工程の中に殺虫工程を１つ工程として含む育苗方法である。すなわち、本発明の育苗方法は、一定の期間、一日のうち一定の時間だけ植物の苗をその種類に応じて温度管理された育苗庫１００に収容して育苗を行い、苗がある程度生育した後に、植物の苗を所定のビニールハウスや畑等に定植する育苗方法に適用している。上記した殺虫工程は、植物の苗をその種類に応じて温度管理された育苗庫１００に収容して育苗を行う育苗工程を終了した後で且つ、植物の苗を所定の場所に植え替える定植工程を実施する前に、１２時間以上、２４時間以下の時間をかけて行われる。
【００４１】
この育苗方法を苺の苗Ｐを例にして、図４〜図６を参照して具体的に説明する。
【００４２】
苺の苗Ｐは、一定期間、苗を育苗庫１００に夜の間だけ収容することによって、自然界とは異なる時期に開花させる育苗方法が行われている。こうした育苗方法は、図４に示すように、複数の苺の苗ＰをトレイＴに収容し、複数のトレイＴを台車１１０，１１１，１１２に搭載して行っている。
【００４３】
ここで、育苗用の施設を構成する育苗庫１００及び苺の苗Ｐが搭載される台車１１０，１１１，１１２の構成について説明する。育苗用の施設は、保温性を有する育苗庫１００と、育苗庫１００に対して出し入れすることができる複数の台車１１０，１１１，１１２とを備えている。育苗庫１００は、その正面に台車１１０，１１１，１１２を出し入れするための出入り口１０５と、育苗庫１００の内部から育苗庫１００の外部に向けて延びるレール１０１，１０２，１０３とを備えている。台車１１０，１１１，１１２はこのレール１０１，１０２，１０３上を移動することによって、育苗庫１００の内外に出し入れできるようになっている。レールは、間隔が異なる３種類のレール１０１，１０２，１０３が相互に平行をなして構成されている。
【００４４】
台車は大型、中型及び小型の３種類の台車１１０，１１１，１１２が用意されており、各台車１１０，１１１，１１２が間隔の異なる各レール１０１，１０２，１０３上を移動する。大型の台車１１０は、最も間隔が広いレール１０１上を移動する。小型の台車１１２は、最も間隔が狭いレール１０３上を移動する。中型の台車１１１は、レール１０１とレール１０３との間に配置されたレール１０２上を移動する。また、小型の台車１１２は中型の台車１１１の内側に格納できるように構成され、中型の台車１１１は大型の台車１１２の内側に格納できるように構成されている。
【００４５】
苺の苗Ｐは、トレイＴの内部に複数収容され、その複数のトレイＴが各台車１１０，１１１，１１２に搭載されることによって、一定の期間、育苗庫１００の内部に収容されたり、育苗庫１００から外に出されたりして育てられる。
【００４６】
そうした、育苗工程を経た後に、殺虫工程が実施される。図５は、殺虫工程を実施する場合に、育苗用の施設に殺虫施設１を設置した状態を示した図である。殺虫施設１は、育苗用の施設を構成する育苗庫１００の外でレール１０１，１０２，１０３上に設置される。その場合、殺虫施設１は、次のようにして設置される。
【００４７】
最初に、溝３０を設置する。その際、大型の台車１１０，１１１，１１２が殺虫施設１のハウス１０の内部に収容されるように、溝３０は、間隔が最も広いレール１０１よりも広くなるようにして設置する。また、４隅に支柱１６を立てると共に支柱１６の上部同士を梁１７で連絡することによって骨組み１５を設置する。次いで、底面シート４０を溝３０の内側に敷く。その際、底面シート４０の周縁４０ａ又は周縁４０ａの内側の一定範囲の領域を全周にわたって溝３０の内部に挿入する。次いで、フィルム材からなるハウス１０を骨組み１５に被せる。その際、ハウス１０に形成されている被吊り下げ部１３，１８をロープ等で吊り下げれば、ハウス１０を容易に骨組み１５に被せることができる。ハウス１０を骨組み１５に被せた後、ハウス１０を構成する側面１２の裾１２ａを全域にわたって溝３０の内部に挿入する。その後、水等の液体Ｗを溝３０の内部に流し込む。
【００４８】
このように、殺虫施設１は簡素な構造であるため、当該殺虫施設１を育苗の現場に容易に設置することができる。
【００４９】
レール１０１，１０２，１０３の上に殺虫施設１を設置した後、殺虫施設１のハウス１０の内部に苺の苗Ｐを収容し、殺虫工程が行われる。苺の苗Ｐの収容は、苺の苗Ｐを収容しているトレイＴを台車１１０，１１１，１１２に搭載し、図６に示すように台車ごとハウス１０の内部に搬送して行う。
【００５０】
ハウス１０に苺の苗Ｐを収容した後、ハウス１０の内部に二酸化炭素を注入する。二酸化炭素は、上述のように、ハウス１０の相対的に下側に設けられた注入口２０から注入する。二酸化炭素の注入は、まず、二酸化炭素供給装置５０を構成するホース５３の先端を注入口２０に接続し、次いで、開閉バルブ５２を開いて、ボンベ５１に充填されている二酸化炭素をボンベ５１から放出させて行う。ハウス１０の内部に二酸化炭素を注入したとき、二酸化炭素は、まず、ハウス１０の下側の領域に滞留し、徐々にハウス１０上側の領域まで溜められる。そのため、それまでハウス１０内に存在していた空気は、ハウス１０の上側に移動し、ハウス１０の相対的に上側に設けられた排出口２１からハウス１０の外に排出される。なお、排出口２１は、上述したように、逆止弁によって構成されているので、排出された空気がハウス１０の内部に逆流したり、ハウス１０の外側に存在する外界の空気がハウス１０の内部に浸入したりすることはない。
【００５１】
このようにしてハウス１０に二酸化炭素を供給して苺の苗Ｐに付いた害虫を殺虫する場合、ハウス１０の内部の二酸化炭素は、４０体積％以上、６０体積％以下になるように濃度を設定するよとよい。殺虫工程は、ハウス１０に二酸化炭素を４０体積％以上、６０体積％以下になるように注入し、１２時間以上、２４時間以下の間、苺の苗Ｐをハウス１０に収容したまま放置することによって行う。なお、注入口２０は、上述のように、逆止弁により構成されているので、注入した二酸化炭素が注入口２０から漏れ出すことはない。
【００５２】
なお、二酸化炭素は、その比重が大きいため、ハウス１０の下側にだけ滞留してしまう。二酸化炭素をハウス１０の内部の全体に拡散する必要がある場合、ハウス１０の内部に二酸化炭素を撹拌することができる撹拌装置を設置するとよい。
【００５３】
こうした殺虫工程は、苺の苗Ｐを台車１１０，１１１，１１２ごとハウス１０の内部に収容するので、大量の苺の苗Ｐを短時間でハウス１０の内部に収容することができる。また、大量の苺の苗Ｐに対して効率よく殺虫を行うことができる。
【００５４】
以上に説明した殺虫工程が終了した後、苺の苗Ｐは、あらかじめ定められた所定の場所に定植される。
【００５５】
以上の育苗方法は、苺の苗Ｐに適用することには限定されず、他の農作物に適用することもできる。
【符号の説明】
【００５６】
１  殺虫施設
１０  ハウス
１１  天面
１２  周面
１２ａ  裾
１３  被吊り下げ部
１４  穴
１５  骨組み
１６  支柱
１７  梁
１８  被吊り下げ部
１９  穴
２０  注入口
２１  排出口
３０  溝
３１  底面板
３２  側面板
４０  底面シート
４０ａ  周縁
５０  二酸化炭素供給装置
５１  ボンベ
５２  開閉バルブ
５３  ホース
６０  殺虫施設
７０  ハウス
７１  周面
７２  側端面
７５  骨組み
７６  アーチ
７７  梁
８０  注入口
８１  排出口
９０  溝
１００  育苗庫
１０１  レール
１０２  レール
１０３  レール
１１０  台車
１１１  台車
１１２  台車
Ｐ  苺の苗
Ｔ  トレイ
Ｗ  液体
【図１】
2015084706.tif 000003
【図２】
2015084706.tif 000004
【図３】
2015084706.tif 000005
【図４】
2015084706.tif 000006
【図５】
2015084706.tif 000007
【図６】
2015084706.tif 000008